(57)【要約】予め設置されたレンズをスムーズに押し出すことができる眼内レンズ挿入用器具を提供する。眼内レンズ挿入用器具１は、眼内レンズ２を設置するレンズ設置部８と前記眼内レンズ２を変形させる移行部22と前記眼内レンズ２を放出するノズル部21とを備えた本体３と、前記レンズ設置部８に設置された眼内レンズ２を押し出すレンズ押出機構４とを備える。前記移行部22と前記ノズル部21のみに親水性コーティングを施した。レンズ設置部８は、前記レンズ２の周縁において前記レンズ２を保持するレンズ保持台12を備えた。前記レンズ保持台12は、上面12aが粗面からなる。
2007080869.tif 000002
【特許請求の範囲】
【請求項１】
眼内レンズを設置するレンズ設置部と前記眼内レンズを変形させる移行部と前記眼内レンズを放出するノズル部とを備えた本体と、
前記レンズ設置部に設置された眼内レンズを押し出すレンズ押出機構と
を備えた眼内レンズ挿入用器具において、
前記移行部と前記ノズル部はコーティングが施され、前記レンズ設置部はコーティングが施されていないことを特徴とする眼内レンズ挿入用器具。
【請求項２】
前記コーティングが親水性コーティングであることを特徴とする請求項１記載の眼内レンズ挿入用器具。
【請求項３】
前記レンズが出荷時に予め前記レンズ設置部に設置されていることを特徴とする請求項１又は２記載の眼内レンズ挿入用器具。
【請求項４】
前記レンズ設置部は、前記レンズの周縁において前記レンズを保持するレンズ保持台を備えたことを特徴とする請求項１〜３いずれか１項に記載の眼内レンズ挿入用器具。
【請求項５】
前記レンズ保持台は、上面が粗面からなることを特徴とする請求項４記載の眼内レンズ挿入用器具。
【請求項６】
前記レンズ保持台は、高密度ポリエチレン樹脂、高分子量ポリエチレン樹脂、フッ素系樹脂、ポリアミド樹脂、ポリアセタール樹脂、ポリフェニレンサルファイド樹脂のいずれか一つで形成したことを特徴とする請求項４記載の眼内レンズ挿入用器具。
【発明の詳細な説明】
【技術分野】
【０００１】
本発明は、白内障手術後の無水晶体眼に対して、眼内レンズを挿入するために使用される眼内レンズ挿入用器具、または、屈折矯正手術において有水晶体眼内レンズを挿入するために使用される眼内レンズ挿入用器具に関し、特に予めインジェクター内にレンズを設置したプリセット型の眼内レンズ挿入用器具に関するものである。
【背景技術】
【０００２】
白内障手術においては、超音波乳化吸引（PEA）による混濁した水晶体の除去、および水晶体除去後の眼内への眼内レンズの埋植が広く行われている。眼内レンズにはその光学部がPMMAなどの硬質の材料からなる硬質眼内レンズと、シリコーンエラストマー、軟性アクリルなどの柔らかい材料からなる軟性眼内レンズとがある。硬質眼内レンズを使用する際には光学部の径とほぼ同じ幅の切開創を角膜、あるいは強膜に作製してレンズを挿入しなければならないのに対し、軟性眼内レンズを使用する際には光学部を折り畳むことにより光学部の径より小さな切開創から挿入することができる。手術後の角膜乱視や感染症を低減するためには、小さな切開創からレンズが挿入されることが好ましく、現在では軟性眼内レンズが好まれる傾向にある。また、レンズを眼内に入れるために、細長い筒の中を通してレンズを眼内へ導入する構造を有した専用のインジェクターが使用されることもある。このような眼内レンズ専用のインジェクターを使用することにより、3mmより小さい切開創口からレンズを入れることが可能である。【０００３】
更に最近では、レンズの取扱時における細菌による汚染や、レンズの取扱時に起りうる操作ミスの可能性を排除するために、レンズが予めインジェクター内にセットされているプリセット型インジェクターが発売されている。このプリセット型インジェクターにおいては、出荷時におけるレンズを固定した状態から使用時におけるレンズの稼働状態に移行するために、光学部に応力をかけない状態で内部に保持する機構と、押し出し機構により押し出し可能な位置に移動させるためのレンズ移動機構を有するものがある（例えば特許文献１および２）。
【特許文献１】特開２００３−３２５５７０号公報
【特許文献２】特開２００３−３２５５７２号公報
【発明の開示】
【発明が解決しようとする課題】
【０００４】
しかしながら上記した特許文献１および２においては設置位置から押出可能位置への移動機構が複雑となるため、製造コストが高くなり、また、動作不良を招く可能性も考えられた。これらの問題を解決するため、発明者らは、レンズ設置位置にてレンズをそのまま押し出せる構造を考えた。【０００５】
ところが、その場合にも眼内レンズがインジェクター内の設置部内面に接触した状態で保管されている場合には、レンズが設置部に密着してしまうという懸念があった。この場合、レンズをレンズ表面に対し平行方向に押し出そうとすると、レンズに過大な応力が生じ、レンズが破損したり、レンズの挙動が不安定になったりする可能性がある。特に、レンズが軟性アクリル材料やシリコン材料で構成されている場合は、レンズ設置部に密着する傾向が著しい。さらに、このような材料で構成されたレンズと、使い捨てのインジェクター材料として一般的に用いられるポリプロピレンやポリエチレン材料との組み合わせにおいては、レンズがレンズ設置部に密着する傾向がより高くなる。【０００６】
一方、レンズとインジェクター内壁のすべり抵抗を減らすため、インジェクター内壁にコート物質を施すコーティング技術も開示されている（例えば、特表平１０−５１２１７２号公報）。ところが、この技術をプリセット型インジェクターに適用したところ、レンズをレンズ設置部と接触した状態で保管することにより、コート物質がレンズに付着したり、あるいは、レンズが設置部に強く接着したりすることが分かった。また、コート物質が親水性の場合には、レンズが設置部に強く接着する傾向が顕著であることがわかった。【０００７】
そこで本発明は上記した問題点に鑑み、予め設置されたレンズをスムーズに押し出すことができる眼内レンズ挿入用器具を提供することを目的とする。
【課題を解決するための手段】
【０００８】
上記目的を達成するために、請求項１に係る発明は、眼内レンズを設置するレンズ設置部と前記眼内レンズを変形させる移行部と前記眼内レンズを放出するノズル部とを備えた本体と、前記レンズ設置部に設置された眼内レンズを押し出すレンズ押出機構とを備えた眼内レンズ挿入用器具において、前記移行部と前記ノズル部はコーティングが施され、前記レンズ設置部はコーティングが施されていないものである。【０００９】
また、請求項２に係る発明は、コーティングを親水性コーティングとしたものである。【００１０】
また、請求項３に係る発明は、前記レンズが出荷時に予め前記レンズ設置部に設置されているものである。【００１１】
また、請求項４に係る発明は、記レンズ設置部は、前記レンズの周縁において前記レンズを保持するレンズ保持台を備えたものである。【００１２】
また、請求項５に係る発明は、前記レンズ保持台は、上面が粗面からなるものである。【００１３】
また、請求項６に係る発明は、前記レンズ保持台は、高密度ポリエチレン樹脂、高分子量ポリエチレン樹脂、フッ素系樹脂、ポリアミド樹脂、ポリアセタール樹脂、ポリフェニレンサルファイド樹脂のいずれか一つで形成したものである。
【発明の効果】
【００１４】
本発明の請求項１の眼内レンズ挿入用器具によれば、レンズ設置部にはコーティングを施さないので、乾燥状態においても、レンズ設置部に設置されたレンズが滑動し、レンズをスムーズに押し出すことができ、レンズが破損したり、レンズの挙動が不安定になったりするのを防ぐことができる。【００１５】
また、請求項２の眼内レンズ挿入用器具によれば、潤滑液を注入した後は、移行部を経てノズル部からレンズをスムーズに放出することができる。【００１６】
また、請求項３の眼内レンズ挿入用器具によれば、予めレンズが設置されているので、操作性を向上することができる。また、レンズがレンズ設置部に長時間接触していた場合でも、レンズ設置部に密着するのを防ぐことができるので、レンズをスムーズに押し出すことができる。【００１７】
また、請求項４の眼内レンズ挿入用器具によれば、レンズ設置部に設置されたレンズの光学面が傷つくことを防ぐことができるので、より安全にレンズを押し出すことができる。【００１８】
また、請求項５の眼内レンズ挿入用器具によれば、レンズを密着させないでレンズ設置部に保持することができるので、レンズをよりスムーズに押し出すことができる。【００１９】
また、請求項６の眼内レンズ挿入用器具によれば、摺動特性が向上し、レンズの動き出しをスムーズにすることができる。
【図面の簡単な説明】
【００２０】
【図１】本発明の眼内レンズ挿入用器具の全体構成を示す図であり、（Ａ）正面図、（Ｂ）平面図である。
【図２】レンズ設置部の構成を示す斜視図である。
【図３】レンズ設置部の構成を示す断面図であり、（Ａ）縦断面図、（Ｂ）横断面図である。
【図４】レンズをレンズ設置部に装填した状態を示す斜視図である。
【図５】レンズ設置部の構成を示す斜視図である。
【図６】レンズ設置部の構成を示す断面図であり、（Ａ）縦断面図、（Ｂ）横断面図である。
【図７】レンズ当接部の変形例を示す縦断面図であり、（Ａ）下端を突出させたもの、（Ｂ）くさび形としたものを示す図である。
【図８】レンズをレンズ設置部に装填した状態を示す斜視図である。
【発明を実施するための最良の形態】
【００２１】
以下図面を参照して、本発明の好適な実施形態について説明する。
（実施例１）
図１に示す眼内レンズ挿入用器具１は、変形可能な眼内レンズ２（以下、レンズ２という）を眼内に安全かつ速やかに送り出すために使用されるものであり、主にレンズ２が眼内レンズ挿入用器具１内に予めセットされているプリセット型眼内レンズ挿入用器具１である。具体的には、レンズ２を設置し該レンズ２を眼内へ挿入する本体３と、前記レンズ２を押し出すレンズ押出機構４とを備える。尚、本実施例で示す前記レンズ２は光学部2aとループ部2bとからなるレンズを使用している。【００２２】
前記本体３は筒状の基端部材５と、前記基端部材５に対し先細の先端部材６とからなる。この基端部材５と先端部材６とは、係合部７において着脱自在に一体化されている。また、本体３の材質は種々のものを用いることができ、例えばステンレス鋼、チタン等の金属だけでなく、合成樹脂なども用いることができる。【００２３】
基端部材５は、一端に設けられたレンズ設置部８と、筒状の側壁に形成された長手方向に延びるスリット９とを備える。また、基端部材５の外周には、後述するグリップ部が係合する係合突起10が設けられている。スリット９は、基端部材５の一端の端部から略中央まで形成されている。【００２４】
また、レンズ設置部８は、図２に示すように、レンズ２を密着させないで保持し得るように構成されている。レンズ２を密着させないで保持することにより、レンズ押出機構４が押し出したときに、レンズ設置部８に設置されたレンズ２がスムーズに動き出せるようになされている。このレンズ設置部８には、親水性コーティングが施されていない。したがって、乾燥状態においても、レンズ２がレンズ設置部８に張り付かず、滑動することができる。【００２５】
レンズ設置部８は、基端部材５の一端に突設された設置部本体13と、前記設置部本体13の上面に形成されたレンズ保持台12と、前記レンズ保持台12よりさらに外側に設けられた側壁14とを備える。設置部本体13は、レンズ進行軸Ａに対し平行かつ平滑な表面を有する板部材からなり、装填されたレンズ２を安定的に保持するように構成されている。【００２６】
レンズ保持台12は、レンズ２をレンズ設置部８に張り付かせずに保持し得るように形成されている。これにより、レンズ２は、スムーズに動き出すことができる。このレンズ保持台12は、レンズ２との接触面積を小さくし得るように構成されている。【００２７】
このレンズ保持台12は、設置部本体から上方へ突設された台からなり、レンズ進行軸方向両側部に一対設けられている。レンズ保持台12の上面12aは粗面からなる。【００２８】
上面12aは、算術平均粗さ（Ｒａ値）が０．５（μｍ）〜５０（μｍ）の範囲となるように形成される。このように上面12aを粗面としたことにより、レンズ２の光学部とレンズ保持台12の上面12aとの接触面積を少なくして、張り付きを抑制し、より安全かつ滑らかにレンズ２を動かすことができる。【００２９】
また、レンズ保持台12は、光学部2aの周縁を保持し得るように構成されている。これにより、光学部2aの光学面が傷つくことを防ぐことができる。このレンズ保持台12は、設置部本体13の両側部に設けられている。また、このようにレンズ保持台12を設けることにより、設置部本体13の中央には、レンズ押出機構４が通る通路15が形成される。通路15は、レンズ進行軸Ａに平行に延びる溝で構成される。【００３０】
また、レンズ保持台12は、ポリプロピレン、ポリエチレンや塩化ビニルなどの一般的な成形樹脂や他の摺動性樹脂で構成するのがより好ましい。レンズ保持台12を摺動性樹脂で構成することにより、レンズ２とレンズ設置部８との間に生じる摩擦力が低減し、レンズ２がスムーズに動き出せる。【００３１】
摺動性樹脂は、高密度ポリエチレン樹脂、高分子量ポリエチレン樹脂、フッ素系樹脂、ポリアミド樹脂、ポリアセタール樹脂、ポリフェニレンサルファイド樹脂のいずれか一つ高密度ポリエチレン樹脂、高分子量ポリエチレン樹脂、フッ素系樹脂、ポリアミド樹脂、ポリアセタール樹脂、ポリフェニレンサルファイド樹脂のいずれか一つから選択される。レンズ保持台12は、上記のような材質によって構成することにより、摺動特性が向上し、レンズ２の動き出しをスムーズにすることができる。また、剛性を有し、寸法安定性を備えるので、生産性を向上することができる。【００３２】
側壁14は、装填されたレンズ２の中心をレンズ進行軸Ａに合わせ得るように構成されている。また、この側壁14が設けられていることにより、レンズ２をレンズ設置部８に装填する際、レンズ２が側方へ脱落することを防ぐことができるので、容易に組立を行なえる。この側壁14は、設置部本体13の両側端から上方に突設され、長手方向に延びる板部材で構成される。【００３３】
先端部材６は、前記レンズ設置部８に設置されたレンズ２を眼内へ挿入するノズル部21と、前記ノズル部21と前記基端部材５とを接続する移行部22とからなり、親水性コーティングが内面に施されている。【００３４】
移行部22は、先端に向かって先細となるすり鉢形状を有し、その先端でノズル部21に接続している。また、移行部22には、レンズ２を固定する固定ピン23が挿脱自在に設けられている。先端部材６には、レンズ２の進行方向前方に予め挿通孔23aが穿設されている。この挿通孔23aに固定ピン23が挿入され、レンズ２がレンズ進行軸Ａ方向に移動するのを防ぐことができる構成となっている。【００３５】
ノズル部21は、その外径が切開創口へ挿入可能な大きさに形成される。レンズ２はレンズ押出機構４によって押し出されて前記移行部22を通過する際に、折り畳まれる。また、先端部材６には後述するスライダーを所定位置で停止させるストッパ24が設けられている。このストッパ24は、後述するスライダーの操作部に係止する突起からなる。【００３６】
前記レンズ押出機構４は、図１に示すように、レンズ２を挿入する初期動作を行うスライダー25と、レンズ２を眼内に挿入するプランジャー26とからなる。【００３７】
プランジャー26は、前記スライダー25で折り畳まれたレンズ２を眼内へ挿入するもので、レンズ２を押し出す押出杆27と、前記押出杆27の基端に設けられたグリップ部28とにより構成される。前記押出杆27はグリップ部28に穿設された穴29に遊嵌され、穴29の底でグリップ部28に軸支されている。この穴29には雌ネジ29aが形成されている。グリップ部28に形成された雌ネジ29aは、前記係合突起10に螺合するように構成されている。係合突起10は、前記雌ネジ29aに螺合する雄ネジの一部の形状で構成されている。このように、係合突起10が雄ネジの一部で構成されていることにより、前記スリット９などに係合突起10が干渉するのを防ぐことができるとともに、確実に雌ネジ29aが螺合してグリップ部を押込むことができる。これによりグリップ部28が押出杆27をレンズ進行軸Ａ方向に押し出す構成となっている。また、グリップ部28は、プランジャー26を押し出し易い形状に形成される。【００３８】
スライダー25は、図３に示すように、レンズ２に局所的な負荷をかけずにレンズ設置部８に設置されたレンズ２を本体３の先端側へ押し出すと共に、所定方向に折り畳むことができるように構成されている。このスライダー25は、本体３に設けられたスリット９に係合し、スライダー25をレンズ進行軸Ａに沿って支持するスライダー本体30と、前記プランジャー26より大きな面積でレンズ２に当接するレンズ当接部31と、前記プランジャー26をレンズ進行軸Ａに沿って支持する挿通部であるガイド溝32と、レンズ２のループ部2bを係止するループガイド34とを有する。【００３９】
前記レンズ当接部31は、レンズ２の外径と略同径の曲率半径を有する円弧の一部により構成され、レンズ２と面接触することによりレンズ２に局部的なストレスを与えることなく、円滑に初期動作を行なうことができる構成となっている。【００４０】
前記ガイド溝32は、前記プランジャー26がガイド溝32に摺動可能、かつ前記レンズ当接部31よりプランジャー26先端が突出可能に形成される。このガイド溝32はスライダー25の一面の長さ方向の略中央であって、全長にわたって形成され、レンズ進行軸Ａに平行な溝で構成される。このガイド溝32の断面は、前記プランジャー26の外形と略同形状に形成される。ガイド溝32の基端には、扇状の導入路21aが形成されている。これにより、押出杆27は、前記スライダー25に形成されたガイド溝32に挿通され、ガイド溝32内をスライダー25の長手方向に摺動する。尚、ガイド溝32はレンズ進行軸Ａに平行に貫通する穴であってもよい。【００４１】
前記スライダー本体30は、前記スリット９に係合することにより、スライダー25を本体３の略中央に保持し、かつ、スライダー25をレンズ進行軸Ａに沿って移動可能とする。したがって、プランジャー26は、本体３の中央に保持され、ガイド溝32によりレンズ進行軸Ａに沿って移動が可能となる。スライダー25は前記操作部33により、容易に移動することができる。【００４２】
前記ループガイド34は、前記ガイド溝32が形成されていないスライダー25の他面に形成されており、レンズ２のループ部2bを係止することにより、レンズ２を固定する。このループガイド34は、湾曲したループ部2bに相似して形成された溝でなり、ループ部2bに物理的な負荷を与えないように、スライダー25の先端側に湾曲状に形成されている。【００４３】
また、図４に示すように、スライダー25は、スライダー25の押出及び戻し操作を行なう操作部33を備えている。操作部33は、レンズ進行軸Ａに対し左右一対として設けられ、前記スライダー本体30の端部に連設され前記基端部材５から外側に突出するように形成されている。この操作部33は、前記本体３の先端に向かって外側へ膨出形成されている。また、操作部33の表面には、図示しないが、レンズ進行軸Ａに対し略直角方向に複数の縦溝を形成してもよいし、あるいは、移動方向を示す矢印を設けてもよい。【００４４】
このように、本体３は、レンズ２が設置されるレンズ設置部８と前記レンズ２が変形しながら移行する移行部22と前記レンズ２が放出されるノズル部21とを備える。【００４５】
次に、このように構成された眼内レンズ挿入用器具１の組み立て手順について説明する。先ず、基端部材５にスライダー25を組み付ける。基端部材５にスライダー25を組み付けるには、基端部材５の一端の端部からスリット９にスライダー本体30を係合し、スリット９の基端までスライダー25を押込む。次いで、基端部材５の他端からプランジャー26を挿入する。このとき、プランジャー26先端は基端部材５に設置されたスライダー25の先端から突出しない位置に合わせる。次いで、図３に示すように、レンズ２のループ部2bをスライダー25に形成されたループガイド34に係止し、レンズ２をレンズ設置部８に装填する。このときレンズ２は、図３（Ａ）に示すようにレンズ保持台12に載置されることにより、レンズ設置部に密着しない状態で保持される。したがって、レンズ２はレンズ設置部に張り付かずに保持される。また、レンズ設置部８には、側壁14を設けたから、レンズ２の中心をレンズ進行軸Ａに容易に一致させることができる。次いで、図４に示すように、先端部材６と基端部材５とを係合部７において一体化する。さらに、挿通孔に固定ピンを挿入し、レンズを固定する。このようにしてレンズ２に負荷をかけることなく、確実に眼内レンズ挿入用器具１を組み立てることができる。【００４６】
次に、上記構成の作用について説明する。尚、レンズ２はレンズ設置部８に装填された状態で一定時間が経過しているものとする。先ず、固定ピンを抜いて、レンズが前方へ移動できるようにする。操作部33を把持しスライダー25を前方へ押し出す。スライダー25が前方へ押し出されると、レンズ当接部31がレンズ２に当接する。レンズ当接部31がレンズ２に当接した状態で、尚スライダー25を前方へ押し出すと、レンズ２がレンズ設置部に張り付かずに保持されているので、レンズ２がレンズ設置部８からスムーズに動き出すことができる。そしてストッパ24に当接するまでスライダー25を押し出すことにより、レンズ２を移行部22へ押し出すことができる。【００４７】
スライダー25がストッパ24に当接し、停止したら、プランジャー26を押し出す（図４（Ｃ））。プランジャー26を押し出すには、まず、グリップ部28を押し出し、係合突起10に雌ネジ29aを螺合する。次いで、グリップ部28を回動する。グリップ部28を回動すると、グリップ部28が基端部材５の他端からレンズ進行軸Ａ方向に移動する。グリップ部28が基端部材５の他端からレンズ進行軸Ａ方向に移動すると、グリップ部28に押されて押出杆27がレンズ進行軸Ａ方向に移動し、プランジャー26が押し出される。このようにして、レンズ２はプランジャー26により押され細いノズル部21を通ることによって折り畳まれる。このようにレンズ２が折り畳まれた状態でさらにプランジャー26を押し出すことによって、レンズ２が眼内へ挿入される。【００４８】
上記のように本実施例によれば、眼内レンズ挿入用器具１は、前記移行部22と前記ノズル部21のみにコーティングを施し、レンズ設置部８には親水性コーティングを施さないので、乾燥状態においても、レンズ設置部８に設置されたレンズ２が滑動できる。したがって、レンズ２をスムーズに押し出すことができ、レンズ２が破損したり、レンズ２の挙動が不安定になったりするのを防ぐことができる。【００４９】
また、コーティングが親水性コーティングであるから、潤滑液を先端部材６に注入した後は、移行部22を経てノズル部21からレンズ２をスムーズに放出することができる。【００５０】
また、レンズ２が出荷時に予め前記レンズ設置部８に設置されているから、操作性を向上することができる。また、レンズ２がレンズ設置部８に長時間接触していた場合でも、レンズ設置部８に密着するのを防ぐことができるので、レンズ２をスムーズに押し出すことができる。【００５１】
また、レンズ設置部８は、前記レンズ２の周縁において前記レンズ２を保持するレンズ保持台12を備えたから、レンズ設置部８に設置されたレンズ２の光学面が傷つくことを防ぐことができるので、より安全にレンズ２を押し出すことができる。【００５２】
また、前記レンズ保持台12は、上面12aが粗面からなるから、レンズ２を密着させないでレンズ設置部８に保持することができるので、レンズ２をよりスムーズに押し出すことができる。【００５３】
また、前記レンズ保持台12は、高密度ポリエチレン樹脂、高分子量ポリエチレン樹脂、フッ素系樹脂、ポリアミド樹脂、ポリアセタール樹脂、ポリフェニレンサルファイド樹脂のいずれか一つで形成したから、摺動特性が向上し、レンズ２の動き出しをスムーズにすることができる。【００５４】
また、レンズ設置部８は、側壁14を設けたことにより、レンズ設置部８の中央にレンズ２を容易に装填することができるので、眼内レンズ挿入用器具１を組み立てたときにレンズ２の軸心とレンズ進行軸Ａとが一致し、よりスムーズにレンズ２を押し出すことができる。【００５５】
また、先端部材６に固定ピン23を挿脱自在に設けたから、固定ピン23がレンズ２を固定するので、保管状態において不意にレンズ２が前方へ移動するのを防ぐことができ、安全性を向上することができる。
（実施例２）
次に本発明の第２実施例について説明する。尚、上記実施例と同様の構成については同様の符号を付し、簡単のため説明を省略する。【００５６】
本実施例に係る眼内レンズ挿入用器具１は、図５に示すように、レンズ押出機構４と、
基端部材５と、先端部材６とを備える。また、眼内レンズ挿入用器具１は、解除手段40を備えることにより、レンズ設置部８において、装填されたレンズ２をレンズ押出機構４が押し出したときに、レンズ設置部８に密着したレンズ２を離脱させ、レンズ２がスムーズに動き出せるようになされている。【００５７】
解除手段40は、レンズ設置部８に前傾姿勢で保持された前記レンズ２を前方へ押し出すことにより、レンズ設置部８からレンズ２を離脱させるものである。この解除手段40は、前記レンズ押出機構４と、前記レンズ設置部８に設置されたレンズ２を前傾姿勢で保持する姿勢保持台41とからなる。【００５８】
姿勢保持台41は、レンズ２を前傾させた状態で保持するように構成されている。この姿勢保持台41は、その上部にレンズ設置部８の先端に向かって下方に傾斜した傾斜面41aを有し、中央には、レンズ押出機構４が通る通路15が形成されている。【００５９】
前記レンズ押出機構４は、図６に示すように、レンズ２を挿入する初期動作を行うスライダー25と、レンズ２を眼内に挿入するプランジャー26とからなる。【００６０】
スライダー25は、スライダー25をレンズ進行軸Ａに沿って支持するスライダー本体30と、前記プランジャー26より大きな面積でレンズ２に当接するレンズ当接部42と、前記プランジャー26をレンズ進行軸Ａに沿って支持する挿通部であるガイド溝32と、レンズ２のループ部2bを係止するループガイド34とを有する。【００６１】
レンズ当接部42には、すくい上げ面43が設けられている。すくい上げ面43は、レンズ設置部８に設置されたレンズ２の後端をすくい上げ得るようになされている。このすくい上げ面43は、前方にいくにしたがって下方に傾斜した形状を有する。すくい上げ面43が傾斜した形状を備えることによりレンズ２を除々にすくい上げることができるので、より確実にレンズ２を離脱させることができる。【００６２】
また、すくい上げ面43は、図７（Ａ）に示すように、レンズ当接部42の下端から前方に突出して形成してもよい。このようにすくい上げ面43の先端が突出していることにより、すくい上げ面43の先端をレンズ２とレンズ設置部８との間に差し込むことができるので、レンズ２の中心部付近まで空気を入り込ませることができ、レンズ２をレンズ設置部８から容易に離脱させることができる。【００６３】
また、すくい上げ面43は、図７（Ｂ）に示すように、くさび形に形成してもよい。このようにくさび形に形成した、すくい上げ面43をレンズ２とレンズ設置部８との間に差し込むことにより、レンズ２の後端を上方に押上げることができるので、レンズ２をレンズ設置部８からより容易に離脱させることができる。【００６４】
次に、上記構成の作用について説明する。尚、レンズ２はレンズ設置部８に装填された状態で一定時間が経過しており、レンズ２がレンズ設置部８に密着している。先ず、図８に示すように、操作部33を把持しスライダー25を前方へ押し出す。スライダー25が前方へ押し出されると、レンズ当接部42がレンズ２に当接する。レンズ当接部42がレンズ２に当接した状態で、さらにスライダー25を前方へ押し出すと、レンズ２が前傾した状態で保持されているので、レンズ２の後方が浮き上がる。レンズ２の後方が浮き上がると、レンズ２とレンズ設置部８との間に空気が入り込み、レンズ設置部８に密着したレンズ２がレンズ設置部８から離脱する。そして図示しないストッパに当接するまでスライダー25を押し出すことにより、レンズ２を移行部22へ押し出すことができる。【００６５】
上記のように本実施例によれば、眼内レンズ挿入用器具１は、前記レンズ押出機構４により押されたレンズ２をレンズ設置部８から離脱させる解除手段40を備えたから、レンズ設置部８に密着したレンズ２を、レンズ押出機構４で押し出すときにレンズ設置部８から離脱させることができる。したがって、レンズ２をスムーズに押し出すことができ、レンズ２が破損したり、レンズ２の挙動が不安定になったりするのを防ぐことができる。【００６６】
また、前記解除手段40は、レンズ進行軸Ａ方向にレンズ２を前傾させて保持する姿勢保持台41を備えるから、レンズ押出機構４がレンズ２を押し出すときに、レンズ２の後端が浮き上がり、レンズ２とレンズ設置部８の間に空気が入り込むことによって、レンズ２をレンズ設置部８から離脱させ、レンズ２をスムーズに押し出すことができる。【００６７】
また、前記姿勢保持台41は、前記レンズ押出機構４が通る通路15を備えたから、レンズ押出機構４がレンズ２を押し出す際、姿勢保持台41がレンズ押出機構４の移動の妨げとならないので、レンズ２をよりスムーズに押し出すことができる。【００６８】
また、前記レンズ押出機構４が、レンズ２をすくい上げるすくい上げ面43を備えたから、レンズ２を押し出す際、すくい上げ面43がレンズ２の後端をすくい上げることによって、レンズ２とレンズ設置部８との間に空気が入り込み、レンズ２をレンズ設置部８から離脱させ、レンズ２をよりスムーズに押し出すことができる。【００６９】
また、前記姿勢保持台41は、レンズ２の両側を支持するように構成したから、長期間レンズ２を保持した場合でも、光学部2aの変形を防ぐことができる。【００７０】
本発明は、本実施形態に限定されるものではなく、本発明の要旨の範囲内で種々の変形実施が可能である。例えば、レンズ保持台の上面は、レンズとの接触面積を減らすため粗面としたが、本発明はこれに限らず、レンズ進行軸方向に延びる凹溝を複数設けることとしてもよい。また、上記実施例を適宜組み合わせてもよいことはいうまでもない。例えば、レンズ設置部にはコーティングを施さず、かつ、レンズ設置部に設置されたレンズを前傾姿勢で保持する姿勢保持台を備えることで、よりスムーズにレンズを押し出すことができる。
【図１】
2007080869.tif 000003
【図２】
2007080869.tif 000004
【図３】
2007080869.tif 000005
【図４】
2007080869.tif 000006
【図５】
2007080869.tif 000007
【図６】
2007080869.tif 000008
【図７】
2007080869.tif 000009
【図８】
2007080869.tif 000010
【国際調査報告】
2007080869.tif 000011
2007080869.tif 000012
2007080869.tif 000013